(57)【要約】      （修正有）【課題】従来の雨具では雨具が身体に密着するため、その雨で濡れた感じが身体に伝わり、不快を感じる。また、雨が差し込み、濡れることが多く、使い心地が良いとはいえない。また、雨具を伝い雨滴が滴り落ちたりするため、どうしてもズボン等の裾、靴等が濡れやすい。【解決手段】従来の雨具を改良し、自転車・スクーター等の雨具で、着地する足の部分を除き、首から下又は頭部を含む、全身を覆い、かつ、自転車・スクーター等のハンドル部と前部の車体、シートに座ったときの身体と腰の下の車体部分を長いスカートのようにし、軟質ビニールなどの防水材料で覆ったもの。また、雨がカバーを伝い流れ、その雨の滴りで靴等が濡れるのを防止するため、雨具の裾口をＵ字型にし、水を前、または後ろに逃すようにする。【選択図】図１
0003113735.tif 000002
【実用新案登録請求の範囲】
【請求項１】
従来の雨具を改良した自転車・スクーター等の雨天時に使用する雨具である。一時停車などで着地する足の部分を除き、首から下の全身を覆い、かつ、自転車・スクーター等のハンドル部と前部の車体、シートに座ったときの身体と腰の下の車体部分を長いスカートのようにし、軟質ビニールなどの防水材料で覆ったもの。また、雨がカバーを伝い流れ、その雨の滴りで靴等が濡れるのを防止するため、雨具の裾口をＵ字型にし、水を前、または後ろに逃すようにする。
【請求項２】
従来の雨具を改良した自転車・スクーター等の雨天時に使用する雨具である。一時停車などで着地する足の部分を除き、頭部を含む体全身を覆い、かつ、自転車・スクーター等のハンドル部と前部の車体、シートに座ったときの身体と腰の下の車体部分を長いスカートのようにし、軟質ビニールなどの防水材料で覆ったもの。また、雨がカバーを伝い流れ、その雨の滴りで靴等が濡れるのを防止するため、雨具の裾口をＵ字型にし、水を前、または後ろに逃すようにする。
【考案の詳細な説明】
【技術分野】
【０００１】  本考案は、自転車・スクーター等の雨天時に利用する雨具および防雨カバーに関する。
【背景技術】
【０００２】  従来のバイク、スクーター、自転車等の雨具は、雨のときに対応するため、一体型の着衣や、上下の着衣を考案し、雨に備えている。また、自転車では傘をさすと危険なのでそれなりの用具などが考案されている。
【考案の開示】
【考案が解決しようとする課題】
【０００３】  しかし、これでは雨具が身体に密着するため、その雨で濡れた感じが身体に伝わり、不快を感じる。また、従来の雨具では雨が差し込み、濡れることが多く、使い心地が良いとはいえない。また、雨具を伝い雨滴が滴り落ちたりするため、どうしてもズボン等の裾、靴等が濡れやすい。
【課題を解決するための手段】
【０００４】  身体と雨具との間に多少空間を設けるとその不快感は除去される。そこで請求項１を実施するため、雨具を着地する足の部分を除き首から下にかけて覆い、かつ自転車・スクーター等のハンドル部と腰から下の車体部分全体を長いスカートのようにして覆うようにする。このように身体との間に空間のできる形をつくることで不快感をカバーできる。また雨の差込をなくすことができる。雨具の裾の部分をＵ字型に折り返すことにより、雨具に伝わり落ちる雨水を前または後に導き、ズボンの裾、靴等に雨が滴り落ちて濡れるのを防ぐ。【０００５】  身体と雨具との間に多少空間を設けるとその不快感は除去される。そこで請求項２を実施するため、雨具を着地する足の部分を除き頭部を含む体全身を覆い、かつ自転車・スクーター等のハンドル部と腰から下の車体部分全体を長いスカートのようにして覆うようにする。このように身体との間に空間のできる形をつくることで不快感をカバーできる。また雨の差込をなくすことができる。雨具の裾の部分をＵ字型に折り返すことにより、雨具に伝わり落ちる雨水を前または後に導き、ズボンの裾、靴等に雨が滴り落ちて濡れるのを防ぐ。
【考案の効果】
【０００６】  よって、本考案のカバーにより、従来の雨具の使用時の不快感は解消し、雨の差込により濡れるのを防ぎ、雨具の裾の部分がＵ字となっているので、雨具に伝わり落ちる雨水を前または後に導き、ズボンの裾、靴等が濡れるのを防ぐので快適に使用ができる。
【考案を実施するための最良の形態】
【０００７】  身体と雨具との間に多少空間を設けるとその不快感は除去される。そこで請求項１を実施するため、雨具を首から下にかけて覆い、かつ着地する足の部分を除き自転車・スクーター等のハンドル部と腰から下の車体部分全体を長いスカートのようにして覆うようにする。このように身体との間に空間のできる形をつくることで不快感をカバーできる。また雨の差込をなくすことができる。雨具の裾の部分をＵ字型に折り返すことにより、雨具に伝わり落ちる雨水を前または後に導き、ズボンの裾、靴等に雨が滴り落ちて濡れるのを防ぐ。実用化ではバックミラーは雨具より外に出すようにしたら良い。そのため、雨具に切り込みを入れ、バックミラーを通した後、切り込み部分に蓋をつけ、ボタン等で蓋をして止めるようにする。また、材料は軟質ビニール等の防雨材を使用し、ゆったり作ると、ハンドルを左右に操作するのに支障はなくなる。また、手が出せるようにポンチョ形式に袖口を作っておくことにより、雨具の着脱、固定、ボタンがけなどに便利である。普段は手を雨具の中で使用できるので濡れずに、しかも風が直接当らないので寒い時の防寒用にもなる。このようにすれば技術的にも実用化でき、実施可能である。乗降しやすくするには雨具にチャックを設け、開閉するようにすればよい。【０００８】  身体と雨具との間に多少空間を設けるとその不快感は除去される。そこで請求項２を実施するため、図２のように雨具が頭部を含む体全体を覆い、かつ着地する足の部分を除き自転車・スクーター等のハンドル部と、腰から下の車体部分全体を長いスカートのようにして覆うようにする。このように身体との間に空間のできる形をつくることで不快感をカバーできる。また雨の差込をなくすことができる。雨具の裾の部分をＵ字型に折り返すことにより、雨具に伝わり落ちる雨水を前または後に導き、ズボンの裾、靴等に雨が滴り落ちて濡れるのを防ぐ。実用化ではバックミラーは雨具より外に出すようにしたら良い。そのため、雨具に切り込みを入れ、バックミラーを通した後、切り込み部分に袖をつけ、ボタン等で蓋をして止めるようにする。また、材料は軟質ビニール等の防雨材を使用し、ゆったりと作ると、ハンドルを左右に操作するのに支障はなくなる。また、手が出せるようにポンチョ形式に袖口を作っておくことにより、雨具の着脱、固定、ボタンがけなどに便利である。普段は手を雨具の中で使用できるので濡れずに、しかも風が直接当らないので寒い時の防寒用にもなる。頭部の部分は透明で他よりやや厚く、硬めに成型することでこの案も実施可能である。また請求項１に頭部部分を図３のようにカプセルにして雨具にとりつけても課題は解決できる。このようにすれば技術的にも実用化でき、実施可能となる。乗降しやすくするには雨具にチャックを設け、開閉するようにすればよい。
【図面の簡単な説明】
【０００９】
【図１】  本考案に係る雨具のうち、請求項１でスクーターを例に、雨具を着衣、装着して使用する状態の図と自転車の例である。
【図２】  本考案に係る雨具のうち、請求項２でスクーターを例に、雨具を着衣、装着して使用する状態の図である。
【図３】  本考案に係る雨具のうち、請求項２でスクーターを例に、頭部をカプセルにして、雨具を着衣、装着して使用する状態の図である。
【符号の説明】
【０００１０】    １    雨具をバックミラーに通すための切り込みと蓋部分
２    帽子
３    雨が滴り落ちるのを防ぐＵ字の部分
４    雨具をふらつかせないために固定するもの
５    雨具をふらつかせないため後ろを荷台部分に固定するもの
６    雨具にチャックを使い、開け閉めすることで乗降しやすくする部
７    頭部カプセル
８    雨具の固定部分
９    ポンチョの手を出す部分
１０    頭部、顔を含む部分をやや厚くして硬めに成型した部分
【図１】
0003113735.tif 000003
【図２】
0003113735.tif 000004
【図３】
0003113735.tif 000005
【手続補正書】
【提出日】平成16年11月11日(2004.11.11)
【手続補正１】
【補正対象書類名】実用新案登録請求の範囲
【補正対象項目名】全文
【補正方法】変更
【補正の内容】
【実用新案登録請求の範囲】
【請求項１】
自転車・スクーター、二輪車・オートバイ用で、一時停車するときに着地する足の部分と車体の底の部分を除き、運転者の首から下全身を覆い、かつ、自転車・スクーター・二輪車・オートバイのハンドル部と車体の前部、運転シートに座ったときの身体と腰の下の車体全体を長いスカートにして覆い、軟質ビニールなどの防水材料で形成し、帽子（２）袖口（９）を備えた雨具。
【請求項２】
自転車・スクーター、二輪車・オートバイ用で、一時停車するときに着地する足の部分と車体の底の部分を除き、運転者の頭部を含む全身を覆い、かつ、自転車・スクーター・二輪車・オートバイのハンドル部と車体の前部、運転シートに座ったときの身体と腰の下の車体全体を長いスカートにして覆い、軟質ビニールなどの防水材料で形成し、帽子（２）袖口（９）を備えた雨具。
【請求項３】
雨が雨具を伝わり、雨滴として落ち、その雨滴により靴やズボンが濡れないように雨滴を集め、影響の無い所に導き落とすために雨具の裾の部分をＵ（３）字の形状にした雨具
【手続補正書】
【提出日】平成17年6月2日(2005.6.2)
【手続補正１】
【補正対象書類名】実用新案登録請求の範囲
【補正対象項目名】全文
【補正方法】変更
【補正の内容】
【実用新案登録請求の範囲】
【請求項１】
運転者の首から下全身をマントのように覆い、同時に自転車・スクーター・二輪車のハンドル部とハンドル下の車体前部から運転シートに座ったときの運転者の腰から下の車体まで十分に包み込むようにし、下は運転者が着地したときのつま先立った足首の高さ位まで覆う形状の雨具で、雨具材料、軟質ビニール、ナイロン、ポリプロピレンなどの合成樹脂の防水材料で成型し、帽子（２）、袖、袖口（９）を備え、バックミラーを貫通する切り込みと蓋（１）を設け、運転者の着地する足の部分にあたる雨具側面部のスカート裾部を雨滴が滴り落ちないようにＵ字、Ｖ字、Ｌ字の形状にしたことを特徴とする自転車・スクーター、二輪車用の雨具。
【請求項２】
運転者の全身を頭部から被るように覆い、同時に自転車・スクーター・二輪車のハンドル部とハンドル下の車体前部から運転シートに座ったときの運転者の腰から下の車体まで十分に包み込むようにし、下は運転者が着地したときのつま先立った足首の高さ位まで覆う形状の雨具で、雨具全体もしくは運転者の顔にあたる部分を視界明瞭にするため透明にした雨具材料、軟質ビニール、ナイロン、ポリプロピレンなどの合成樹脂の防水材料で成型し、帽子（２）、袖、袖口（９）を備え、バックミラーを貫通する切り込みと蓋（１）を設け、運転者の着地する足の部分にあたる雨具側面部のスカート裾部を雨滴が滴り落ちないようにＵ字、Ｖ字、Ｌ字の形状にしたことを特徴とする自転車・スクーター、二輪車用の雨具。
【請求項３】
運転者の首から下全身をマントのように覆い、同時に自転車・スクーター・二輪車のハンドル部とハンドル下の車体前部から運転シートに座ったときの運転者の腰から下の車体まで十分に包み込むようにし、下は運転者が着地したときのつま先立った足首の高さ位まで覆う形状の雨具で、雨具材料、軟質ビニール、ナイロン、ポリプロピレンなどの合成樹脂の防水材料で成型し、袖、袖口（９）を備え、バックミラーを貫通する切り込みと蓋（１）を設け、運転者の着地する足の部分にあたる雨具側面部のスカート裾部を雨滴が滴り落ちないようにＵ字、Ｖ字、Ｌ字の形状にし、請求項１記載の雨具の帽子に当る部分を透明な材料で成型した頭部カプセル型にしたことを特徴とする自転車・スクーター、二輪車用の雨具。